(57)【要約】  ワイヤレス通信システムにおいて、受信機の複数のアンテナを構成するための方法が、選択されたアップリンクチャネルを通過させる狭帯域フィルタを備えるように複数のアンテナのうちの一次アンテナを構成することと、複数のアップリンクチャネルを通過させる広帯域フィルタを備えるように複数のアンテナのうちの二次アンテナを構成することとを含むことができる。受信機は、ダウンリンク電力を制御する際に使用するために二次アンテナを介して受信される複数のアップリンクチャネルの電力を検知することができる。二次アンテナの広帯域構成は間欠的であり、ダイバーシティ受信のための狭帯域フィルタ構成の合間に存在することができる。受信機は、どのアンテナが選択されたアップリンクチャネル上で最も強い信号を受信しているかを検知することによって、複数のアンテナのうちのどのアンテナが一次アンテナであるかを決定することができる。複数のアンテナのそれぞれ異なるアンテナからの信号に異なるレベルの自動利得制御を適用することができる。
2017505058.tif 000002
【特許請求の範囲】
【請求項１】
受信機の複数のアンテナを構成するための方法であって、前記方法は、
前記複数のアンテナのうちの一次アンテナを選択されたアップリンクチャネルを通過させる狭帯域フィルタを備えるように構成するステップと、
前記複数のアンテナのうちの二次アンテナを複数のアップリンクチャネルを通過させる広帯域フィルタを備えるように構成するステップと
を含む、受信機の複数のアンテナを構成するための方法。
【請求項２】
ダウンリンク電力を制御する際に使用するために前記二次アンテナを介して受信される前記複数のアップリンクチャネルの電力を検知するステップをさらに含む、請求項1に記載の方法。
【請求項３】
前記二次アンテナを前記広帯域フィルタを備えるように構成するステップは、間欠的に実行され、他の時点では、前記受信機は、ダイバーシティ受信のために狭帯域フィルタを備えるように前記二次アンテナを構成する、請求項1に記載の方法。
【請求項４】
前記複数のアンテナのうちのどのアンテナが前記選択されたアップリンクチャネル上で最も強い信号を受信しているかを検知することによって、前記複数のアンテナのうちのどのアンテナが前記一次アンテナであるかを決定するステップをさらに含む、請求項1に記載の方法。
【請求項５】
定義されたイベントを検出するのに応答して、前記決定するステップを実行するステップをさらに含む、請求項4に記載の方法。
【請求項６】
前記複数のアンテナのうちのどのアンテナが前記一次アンテナであるかを決定するステップは、付加されたヒステリシスを受ける、請求項4に記載の方法。
【請求項７】
前記複数のアンテナのそれぞれ異なるアンテナからの信号に異なるレベルの自動利得制御を適用するステップをさらに含む、請求項1に記載の方法。
【請求項８】
前記一次アンテナからの信号より、前記二次アンテナからの信号に低い利得が適用される、請求項7に記載の方法。
【請求項９】
前記受信機はアクセスポイントを含む、請求項1に記載の方法。
【請求項１０】
受信機の複数のアンテナを構成するための装置であって、前記装置は、
前記複数のアンテナのうちの一次アンテナを選択されたアップリンクチャネルを通過させる狭帯域フィルタを備えるように構成するための手段と、
前記複数のアンテナのうちの二次アンテナを複数のアップリンクチャネルを通過させる広帯域フィルタを備えるように構成するための手段と
を備える、受信機の複数のアンテナを構成するための装置。
【請求項１１】
受信機の複数のアンテナを構成するための装置であって、
前記複数のアンテナのうちの一次アンテナを選択されたアップリンクチャネルを通過させる狭帯域フィルタを備えるように構成し、かつ、前記複数のアンテナのうちの二次アンテナを複数のアップリンクチャネルを通過させる広帯域フィルタを備えるように構成するために構成される少なくとも1つのプロセッサと、
前記少なくとも1つのプロセッサに結合され、データを記憶するためのメモリと
を備える、受信機の複数のアンテナを構成するための装置。
【請求項１２】
前記プロセッサはさらに、前記複数のアンテナのうちのどのアンテナが前記選択されたアップリンクチャネル上で最も強い信号を受信しているかを検知することによって、前記複数のアンテナのうちのどのアンテナが前記一次アンテナであるかを決定するために構成される、請求項11に記載の装置。
【請求項１３】
前記プロセッサはさらに、ダウンリンク電力を制御する際に使用するために前記二次アンテナを介して受信される前記複数のアップリンクチャネルの電力を検知するために構成される、請求項11に記載の装置。
【請求項１４】
前記プロセッサはさらに、間欠的に、前記広帯域フィルタを備えるように前記二次アンテナを構成し、他の時点では、ダイバーシティ受信のために狭帯域フィルタを備えるように前記二次アンテナを構成するために構成される、請求項11に記載の装置。
【請求項１５】
前記プロセッサはさらに、定義されたイベントを検出するのに応答して、前記決定することを実行するために構成される、請求項14に記載の装置。
【請求項１６】
前記プロセッサはさらに、前記複数のアンテナのうちのどのアンテナが前記一次アンテナであるかを決定することが、付加されたヒステリシスを受けるように構成される、請求項14に記載の装置。
【請求項１７】
前記プロセッサはさらに、前記複数のアンテナのそれぞれ異なるアンテナからの信号に異なるレベルの自動利得制御を適用するために構成される、請求項11に記載の装置。
【請求項１８】
前記プロセッサはさらに、前記一次アンテナからの信号より、前記二次アンテナからの信号に低い利得を適用するために構成される、請求項17に記載の装置。
【請求項１９】
前記プロセッサはアクセスポイントの一部を含む、請求項11に記載の装置。
【請求項２０】
命令を保持する非一時的コンピュータ可読記録媒体であって、プロセッサによって実行されるときに、前記命令は、コンピュータに、
複数のアンテナのうちの一次アンテナを選択されたアップリンクチャネルを通過させる狭帯域フィルタを備えるように構成することと、
前記複数のアンテナのうちの二次アンテナを複数のアップリンクチャネルを通過させる広帯域フィルタを備えるように構成することと
を実行させる、命令を保持する非一時的コンピュータ可読記録媒体。
【発明の詳細な説明】
【技術分野】
【０００１】
本開示の態様は包括的には、ワイヤレス通信システムに関し、より具体的には、自己組織化セルラーワイヤレスネットワークにおいてアップリンク信号を受信するための技法に関する。
【背景技術】
【０００２】
ワイヤレス通信ネットワークは、音声、ビデオ、パケットデータ、メッセージング、ブロードキャストなどの種々の通信サービスを提供するために広く展開されている。これらのワイヤレスネットワークは、利用可能なネットワークリソースを共有することによって複数のユーザをサポートすることができる多元接続ネットワークとすることができる。そのような多元接続ネットワークの例は、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークを含む。
【０００３】
ワイヤレス通信ネットワークは、いくつかのユーザ機器(UE)のための通信をサポートすることができるいくつかの基地局を含むことができる。UEは、ダウンリンクおよびアップリンクを介して基地局と通信することができる。ダウンリンク(または順方向リンク)は、基地局からUEへの通信リンクを指しており、アップリンク(または逆方向リンク)は、UEから基地局への通信リンクを指している。基地局は、マクロセルまたはマイクロセルとすることができるか、またはマクロセルまたはマイクロセルを含むことができる。マイクロセルは、一般的にマクロセルよりはるかに低い送信電力を有することによって特徴付けられ、多くの場合に、集中管理による計画を用いることなく展開することができる。対照的に、マクロセルは、一般的に、計画されたネットワークインフラストラクチャの一部として固定された場所に設置され、相対的に大きいエリアをカバーする。
【０００４】
第3世代パートナーシッププロジェクト(3GPP)ロングタームエボリューション(LTE)アドバンストセルラー技術は、モバイル通信用グローバルシステム(GSM(登録商標): Global System for Mobile Communications)およびユニバーサルモバイル電気通信システムシステム(UMTS)を発展させたものである。LTE物理レイヤ(PHY)は、発展型NodeB(eNB)などの基地局とUEなどのモバイルエンティティとの間でデータと制御情報の両方を搬送する非常に効率的な方法を提供する。従来の適用例では、マルチメディアのための高帯域幅通信を容易にするための方法は、単一周波数ネットワーク(SFN)動作であった。SFNは、たとえば、eNBなどの無線送信機を利用して、加入者UEと通信する。
【０００５】
ワイヤレスネットワークは、フェムトセルおよびピコセルのような小型の低電力セルが徐々に追加されていくのを目にしてきた。数多くのスモールセルがアドホックに展開され、計画されたワイヤレスインフラストラクチャを構成するマクロセルと相互接続される。スモールセルの自己組織化ネットワークのための管理技法(たとえば、Qualcomm's(UltraSON))は、スモールセルおよびその関連するビーコンの送信(TX)電力レベルを管理するために、スモールセルによって検知されるアップリンク(UL)信号を必要とする場合がある。UL検知では、スモールセルは、そのスモールセルに接続されていても、接続されていなくても、その付近にあるアクセス端末からのUL信号の電力を測定する。スモールセルは、それに応じて、その後、自らの送信電力を調整することができる。
【０００６】
スモールセルによる異なる搬送波周波数上でのUL信号の測定は、スモールセル受信(RX)リソースの使用を必要とする。UL検知のための専用の1組のRXリソースを使用するのを回避するために、これまでの解決策は、受信機において広帯域アナログローパスフィルタ(LPF)を使用することを要求した。広帯域LPFは、電力管理のために隣接する搬送波内の複数のUL信号を通し、それにより、UL測定ごとに専用の個別のRF受信経路の使用を必要とすることなく、UL信号を測定できるようにした。しかしながら、この手法は、より高いTX電力レベルと、たとえば、隣接チャネル(ACS)または「ブロッカ」チャネル(±10MHz、UMTS)セルに関してより厳しい最小性能仕様(MPS: minimum performance specifications)とを有する、より広い基地局分類を含む次世代ネットワークにとって最適でない場合がある。そのようなシナリオは、アナログ/デジタル変換(ADC)飽和を回避するために、アナログフィルタリングおよびADCダイナミックレンジに、より厳しい要件を課す場合がある。したがって、自己組織化ネットワークのノード(たとえば、フェムトセルまたはホームNodeB)によるUL信号測定のための新たな手法が望まれている。
【先行技術文献】
【非特許文献】
【０００７】
【非特許文献１】3GPP Technical Report(T.R.)36.932セクション4
【発明の概要】
【課題を解決するための手段】
【０００８】
自己組織化セルラーワイヤレスネットワーク内で可変ダイバーシティRX帯域幅を使用するための方法、装置、およびシステムが、発明を実施するための形態において詳述されており、特定の態様が以下に要約される。この発明の概要および以下の発明を実施するための形態は、統合された開示の補完的な部分と解釈されるべきであり、その部分は、冗長な主題および/または補足的な主題を含む場合がある。いずれのセクションにおける省略も、統合された出願において説明されている任意の要素の優先順位または相対的重要性を示さない。セクション間の違いは、それぞれの開示から明らかであるように、異なる用語を使用した代替の実施形態、追加の詳細、または同一の実施形態の代替の説明の補足的な開示を含むことができる。
【０００９】
一態様では、ワイヤレス通信システムの受信機が、複数のアンテナを構成するための方法を実行することができる。その方法は、選択されたアップリンクチャネルを通過させる狭帯域フィルタを備えるように、複数のアンテナのうちの一次アンテナを構成することと、複数のアップリンクチャネルを通過させる広帯域フィルタを備えるように、複数のアンテナのうちの二次アンテナを構成することとを含むことができる。その方法はさらに、受信機によって、ダウンリンク電力を制御する際に使用するために二次アンテナを介して受信される複数のアップリンクチャネルの電力を検知することを含むことができる。受信機は、ワイヤレス通信システムのアクセスポイント、たとえば、eNB、フェムトセル、ピコセル、ホームNodeBまたは他のアクセスポイントとすることができるか、またはそのようなアクセスポイントを含むことができる。
【００１０】
その方法の一態様では、広帯域フィルタを備えるように二次アンテナを構成することは、間欠的に実行することができ、他の時点では、受信機は、ダイバーシティ受信のための狭帯域フィルタを備えるように二次アンテナを構成する。言い換えると、受信機は、異なる期間ごとに、広帯域フィルタを備えるように、または狭帯域フィルタを備えるように、二次アンテナを構成することができる。
【００１１】
その方法の別の態様では、複数のアンテナのうちのどのアンテナが一次アンテナであるかを決定することは、複数のアンテナのうちのどのアンテナが選択されたアップリンクチャネル上で最も強い信号を受信しているかを検知することによって、少なくとも部分的に実行することができる。たとえば、所定の先行する期間にわたって最も強い信号を受信しているアンテナが、一次アンテナとして指定される場合がある。一次アンテナを決定するこの動作は、所定のイベント、たとえば、モバイルエンティティからの呼開始を検出するのに応答して実行することができる。別の態様では、複数のアンテナのうちのどのアンテナが一次アンテナであるかを決定するプロセスは、追加されたヒステリシス、たとえば、信号強度の過渡的変動に応答して一次アンテナの指定が変化するのを防ぐのに役に立つヒステリシスを受けることができる。
【００１２】
別に態様では、その方法は、複数のアンテナのそれぞれ異なるアンテナからの信号に異なるレベルの自動利得制御を適用することを含むことができる。たとえば、二次アンテナからの信号には、一次アンテナからの信用より低い利得が適用される場合がある。
【００１３】
関係する態様では、先に要約された方法および方法の態様のいずれかを実行するためのワイヤレス通信装置が提供することができる。装置が、たとえば、メモリに結合されたプロセッサを含むことができ、メモリは、装置に上記のように動作を実行させるために、プロセッサが実行するための命令を保持する。そのような装置の特定の態様(たとえば、ハードウェア態様)を、ネットワークエンティティ、たとえば、フェムトセル、ピコセルまたはホームNodeBのようなスモールセルのような装置によって例示することができる。いくつかの態様では、本明細書において説明されるような技術の態様を実行するために、モバイルエンティティおよびネットワークエンティティがインタラクティブに動作することができる。同様に、プロセッサによって実行されるとき、ネットワークンティティに、先に要約されたような方法および方法の態様を実行させる符号化された命令を保持するコンピュータ可読記憶媒体を含む、製品を提供することができる。
【図面の簡単な説明】
【００１４】
【図１】ベースバンドフィルタリングおよび個別の粗い自動利得制御を用いる個別のRX経路を実現する受信機の一例を概念的に示すブロック図である。
【図２】電気通信システムの一例を概念的に示すブロック図である。
【図３】本開示の一態様に従って構成される、基地局/eNBおよびUEの設計を概念的に示すブロック図である。
【図４】受信機の複数のアンテナを構成するための方法の態様を示す図である。
【図５】受信機の複数のアンテナを構成するための方法の態様を示す図である。
【図６】受信機の複数のアンテナを構成するための方法の態様を示す図である。
【図７】受信機の複数のアンテナを構成するための方法の態様を示す図である。
【図８】図4〜図7の方法による、受信機の複数のアンテナを構成するための装置の態様を示す図である。
【発明を実施するための形態】
【００１５】
添付の図面に関して以下に説明される詳細な説明は、種々の構成を説明することを意図しており、本明細書において説明される概念を実践することができる唯一の構成を表すことは意図していない。詳細な説明は、種々の概念を完全に理解してもらうために具体的な詳細を含む。しかしながら、これらの具体的な詳細なしにこれらの概念が実施される場合があることは当業者には明らかであろう。場合によっては、そのような概念を不明瞭にすることを避けるために、周知の構造および構成要素がブロック図の形で示される。
【００１６】
新たな手法は、より広いダイナミックレンジをサポートするようにアナログRX経路を再設計することを含むことができ、それにより、ブロッカチャネル(blocker channel)がアナログフィルタを通り抜ける場合であっても、低雑音利得レンジ(GR)を使用できるようになる。代替的なダイバーシティ利用手法では、UL検知のために個別のRX経路を用いることができ、利用可能なダイバーシティRX経路(たとえばUMTSにおけるダイバーシティRX)のうちの1つを専用に、または間欠的に利用する。間欠的な手法では、ダイバーシティRX経路を時分割多重化し、測定のために特定のUL検知周波数に間欠的に同調させることができ、UL検知のために同調しないとき、ダイバーシティ受信のために使用することができる。
【００１７】
ダイバーシティ利用手法では、通常のUL受信の場合、適応的に決定された「一次」アンテナ上で狭帯域ベースバンド(BB)フィルタリングを展開することができ、一方、UL検知の場合、適応的に決定された二次アンテナ上で、逆に広いBBフィルタリングを展開することができる。複数のアンテナのうちのどのアンテナが一次であると見なされるかを決定することは、複数のアンテナのうちのどのアンテナが最も強い信号を受信しているかを検知することによって成し遂げることができる。一次/二次アンテナのそのような検知および決定は、間隔を置いて行うことができるか、またはイベントトリガにする(たとえば、呼開始時に実行する)ことができる。見なしアンテナランキングの変更は、一次アンテナおよび二次アンテナの指定における不必要な変更を回避するために、実質的なヒステリシスを受けることができる。単一アンテナブロッカチャネルのような状況は実際に重要であると予想されないので、そのようなヒステリシスは、誤った指定を導入するとは考えられない。
【００１８】
一態様では、異なる受信経路ごとに、個別の粗い自動利得制御を用いることができる。その際、フィールド内にブロッカがあるシナリオでは、二次アンテナは、低い利得を使用することができ、それに伴って、関連する雑音指数は高くなるが、依然としてダイバーシティを提供することができる。二次アンテナ単独での性能は、単一のアンテナのためのMPSを超えるだけの十分な品質にはならないが、それにもかかわらず、ダイバーシティの恩恵を提供することができる。また、二次アンテナからのUL信号測定値を用いて一次アンテナ利得比を設定することによって、一次アンテナのための改善されたブロッカ検出を達成することができる。
【００１９】
ダイバーシティ利用手法の恩恵は、UL信号検知のための個別のRX経路の必要性を低減すること、または不要にすることを含むことができる。さらに、恩恵は、一次アンテナ上でULを検知するための広いアナログ帯域幅に起因して、ブロッカチャネルを扱うために、アナログベースバンドADCのダイナミックレンジを広げる必要性を低減すること、または不要にすることを含むことができる。さらに、恩恵は、ACSおよびブロッカチャネルのシナリオの場合に、良好なアンテナ性能を保持しながら、雑音フロアがMPS要件より高くなるのを回避することを含むことができる。
【００２０】
本明細書において説明される技法は、CDMA、TDMA、FDMA、OFDMA、SC-FDMAおよび他のネットワークのような、種々のワイヤレス通信ネットワークのために使用される場合がある。「ネットワーク」および「システム」という用語は多くの場合に互換的に使用される。CDMAネットワークは、ユニバーサル地上無線アクセス(UTRA)、cdma2000などの無線技術を実現することができる。UTRAは、広帯域CDMA(WCDMA(登録商標))およびCDMAの他の変形を含む。cdma2000技術は、IS-2000、IS-95およびIS-856規格によってカバーされる。TDMAネットワークは、モバイル通信用グローバルシステム(GSM(登録商標): Global System for Mobile Communications)などの無線技術を実現することができる。OFDMAネットワークは、Evolved UTRA(E-UTRA)、Ultra Mobile Broadband(UMB)、IEEE802.11(Wi-Fi)、IEEE802.16(WiMAX)、IEEE802.20、Flash-OFDMAなどの無線技術を実現することができる。UTRAおよびE-UTRAは、ユニバーサルモバイル電気通信システム(UMTS: Universal Mobile Telecommunication System)の一部である。3GPP Long Term Evolution(LTE)およびLTE-Advanced(LTE-A)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)という名称の組織からの文書に記載される。cdma2000技術およびUMB技術は、「第3世代パートナーシッププロジェクト2」(3GPP2)という名称の組織からの文書に記載される。本明細書において説明される技法は、上記のワイヤレスネットワークおよび無線技術、ならびに他のワイヤレスネットワークおよび無線技術のために使用することができる。明確にするために、それらの技法のいくつかの態様がLTEについて以下に説明され、以下の説明の多くにおいて、LTE用語が用いられる。
【００２１】
本技術は、本明細書において説明されるように、たとえば、ワイヤレス通信システムの1つまたは複数の受信ノードにおいて実施することができる。図1は、ベースバンドフィルタリングおよび個別の粗い自動利得制御を用いる個別のRX経路102、104を実現する受信機100の一例と、ブロッカチャネルがアナログフィルタを通り抜ける場合であっても、低雑音利得レンジ(GR)を使用できるようにする、より広いダイナミックレンジをサポートするようにアナログRX経路を再設計する技法の一例とを概念的に示す。個別のRX経路102、104のうちの1つは、専用として、または間欠的にUL検知のために使用することができる。間欠的な手法では、ダイバーシティRX経路を時分割多重化することができる。マルチプレクサ(図示せず)を用いるとき、RX経路102、104のうちのいずれか1つを測定のための特定のUL検知周波数に間欠的に同調させることができ、UL検知のために同調させないとき、ダイバーシティ受信のために使用することができる。
【００２２】
代替形態では、受信機100はベースバンドフィルタリング106のための構成要素および自動利得制御108のための構成要素を用いて、ダイバーシティ利用技法を実施することができる。この手法では、適応的に決定される「一次」アンテナ上(たとえば、RX経路102上)で通常のUL受信のために狭いBBフィルタリングを展開することができ、一方、適応的に決定される「二次」アンテナ上(たとえば、RX経路104上)では、UL検知のために、逆に、より広いBBフィルタリングを展開することができる。受信経路102、104を通り抜けたデータは、アプリケーションまたは制御の目的で、1つまたは複数のデジタルシグナルプロセッサ110に与えることができる。
【００２３】
複数のアンテナのうちのどのアンテナが一次であると見なされるかを決定することは、たとえば、コントローラ110、108または106のいずれか1つにおいて、複数のアンテナのうちのどのアンテナが最も強い信号を受信しているかを検知することによって成し遂げることができる。コントローラが、RX経路102、104のうちのいずれが一次/二次経路であると見なされるかを、間隔を置いて、またはイベントによってトリガする(たとえば、呼開始時に実行される)ことにより、検知し、決定することができる。
【００２４】
一態様では、1つまたは複数のAGCコントローラ108を介して、異なる受信経路ごとに個別の粗い自動利得制御(AGC)を使用することができる。フィールド内にブロッカがあるシナリオでは、二次アンテナは、低い利得を使用することができ、それに伴って、関連する雑音指数は高くなるが、依然としてダイバーシティを提供することができる。そのような場合に、二次アンテナからのUL信号測定値を用いて一次アンテナ利得比を設定することによって、一次アンテナのための改善されたブロッカ検出を達成することができる。
【００２５】
図2は、ワイヤレス通信ネットワーク200を示しており、そのネットワークはLTEネットワークであり、図1に示されるような受信機がUL信号を受信するために実現することができる自己組織化ネットワークの態様を含むことができる。ワイヤレスネットワーク200は、いくつかのeNB210と他のネットワークエンティティとを含むことができる。eNBは、UEと通信する局とすることができ、基地局、NodeB、アクセスポイント、または他の用語でも呼ばれる場合もある。各eNB210a、210b、210cは、特定の地理的エリアのための通信カバレッジを提供することができる。3GPPでは、「セル」という用語は、用語が使用される文脈に応じて、eNBのカバレッジエリアおよび/またはこのカバレッジエリアをサービングするeNBサブシステムのカバレッジエリアを指すことができる。各eNB210a、210b、210cは、図1に示されるUL受信機100として構成することができる。
【００２６】
eNBは、マクロセル、ピコセル、フェムトセル、および/または他のタイプのセルのための通信カバレッジを提供することができ、それらのセルのうちのいくつか、またはすべてが、計画されずに展開される場合がある。マクロセルは、相対的に大きい地理的エリア(たとえば、半径数キロメートル)をカバーすることができ、サービスに加入しているUEによる無制限のアクセスを可能にする場合がある。ピコセルは、相対的に小さい地理的エリアをカバーすることができ、サービスに加入しているUEによる無制限のアクセスを可能にする場合がある。フェムトセルは、相対的に小さい地理的エリア(たとえば、自宅)をカバーすることができ、そのフェムトセルとの関連性を有するUE(たとえば、限定加入者グループ(CSG: Closed Subscriber Group)内のUE、自宅内のユーザのUEなど)による制限されたアクセスを可能にする場合がある。マクロセル用のeNBはマクロeNBと呼ばれることがある。ピコセル用のeNBはピコeNBと呼ばれることがある。フェムトセルのためのeNBは、フェムトeNBまたはホームeNB(HNB)と呼ばれることがある。図2に示される例では、eNB210a、210b、および210cは、それぞれマクロセル202a、202b、および202cのためのマクロeNBとすることができる。eNB210xは、ピコセル202xのためのピコeNBとすることができる。また、eNB210yおよび210zはそれぞれ、フェムトセル202yおよび202zのためのフェムトeNBとすることができる。eNBは、1つまたは複数(たとえば、3つ)のセルをサポートすることができる。フェムトセルおよびピコセルは、スモールセルの例である。本明細書において用いられるとき、スモールセルは、スモールセルを有するネットワーク内の各マクロセルよりもかなり低い送信電力を有することによって特徴付けられるセル、たとえば、3GPP Technical Report(T.R.)36.932セクション4において定義されるような低電力アクセスノードを意味する。
【００２７】
また、ワイヤレスネットワーク200は、中継局210rを含むことができる。中継局は、アップストリーム局(たとえば、eNBまたはUE)からデータおよび/または他の情報の伝送を受信し、ダウンストリーム局(たとえば、UEまたはeNB)にデータおよび/または他の情報の伝送を送信する局である。また、中継局は、他のUEのための伝送を中継するUEとすることができる。図2に示される例では、中継局210rは、eNB210aとUE220rとの間の通信を容易にするために、eNB210aおよびUE220rと通信することができる。また、中継局は、中継eNB、リレーと呼ばれるか、または他の用語で呼ばれる場合もある。
【００２８】
ワイヤレスネットワーク200は、異なるタイプのeNB、たとえば、マクロeNB、ピコeNB、フェムトeNB、リレーなどを含む異種ネットワークとすることができる。これらの異なるタイプのeNBは、異なる送信電力レベル、異なるカバレッジエリア、およびワイヤレスネットワーク200内の干渉への異なる影響を有することができる。たとえば、マクロeNBは高い送信電力レベル(たとえば、5ワット〜20ワット)を有する場合があり、一方でピコeNB、フェムトeNBおよびリレーはより低い送信電力レベル(たとえば、0.1ワット〜2ワット)を有する場合がある。
【００２９】
ワイヤレスネットワーク200は、同期動作または非同期動作をサポートすることができる。同期動作の場合、eNBは同様のフレームタイミングを有することができ、異なるeNBからの送信を、時間的に概ね合わせることができる。非同期動作の場合、eNBは異なるフレームタイミングを有することができ、異なるeNBからの送信は、時間的に合わせられなくてもよい。本明細書において説明される技法は、同期動作と非同期動作の両方の場合に使用することができる。
【００３０】
ネットワークコントローラ230は、1組のeNBに結合し、これらのeNBのための協調および制御を提供することができる。ネットワークコントローラ230は、バックホールを介してeNB210と通信することができる。また、eNB 210は、たとえば、直接、またはワイヤレスバックホールまたは有線バックホールを介して間接的に、互いに通信することができる。
【００３１】
UE220は、ワイヤレスネットワーク200全体に分散し、各UEは固定されている場合があるか、または移動する場合がある。また、UEは、端末、移動局、サブスクライバユニット、局、スマートフォンなどと呼ばれることもある。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、または他のモバイルエンティティとすることができる。UEは、マクロeNB、ピコeNB、フェムトeNB、リレー、または他のネットワークエンティティと通信できる場合がある。図2では、両側に矢印がある実線が、UEとサービングeNBとの間の所望の伝送を示し、サービングeNBは、ダウンリンクおよび/またはアップリンク上でUEをサービングするように指定されるeNBである。両端に矢印の付いた破線は、UEとeNBとの間の干渉する伝送を示す。
【００３２】
LTEは、ダウンリンク上で直交周波数分割多重化(OFDM)を利用し、アップリンク上でシングルキャリア周波数分割多重化(SC-FDM)を利用する。OFDMおよびSC-FDMは、システム帯域幅を、一般にトーン、ビンなどとも呼ばれる複数の(K個の)直交サブキャリアに分割する。各サブキャリアは、データで変調することができる。一般に、変調シンボルは、OFDMでは周波数領域において、SC-FDMでは時間領域において送られる。隣接するサブキャリア間の間隔は固定される場合があり、サブキャリアの総数(K)は、システム帯域幅によって決まる場合がある。たとえば、Kは、1.25、2.5、5、10、または20メガヘルツ(MHz)のシステム帯域幅に対して、それぞれ、128、256、512、1024、または2048に等しくすることができる。また、システム帯域幅は、サブバンドに分割することができる。たとえば、サブバンドは1.08MHzをカバーすることができ、1.25、2.5、5、10または20MHzのシステム帯域幅に対して、それぞれ、1、2、4、8または16のサブバンドが存在することができる。
【００３３】
図3は、基地局/eNBのうちの1つおよび図2のUEのうちの1つとすることができる、基地局/eNB210およびUE220の設計のブロック図を示す。たとえば、基地局210は図2のマクロeNB210cとすることができ、UE220はUE220yとすることができる。また、基地局210は、何らかの他のタイプの基地局でもよい。基地局210は、アンテナ334a〜334tを備えることができ、UE220は、アンテナ352a〜352rを備えることができる。一態様では、基地局210、UE220またはその両方は、デュアルアンテナまたはデュアル受信経路受信機として構成することができる。本方法は、自己組織化ネットワーク内のスモールセル基地局の場合に特に役に立つことがあるが、そのような適用例に限定されない。基地局210またはUE220は、本明細書において説明される機能を実行するためのさらなる構成要素(図示せず)を含むことができるか、または代替形態では、図示される構成要素を、これらの機能を実行するように適応させることができる。
【００３４】
基地局210において、送信プロセッサ320は、データソース312からデータを受信し、コントローラ/プロセッサ340から制御情報を受信することができる。制御情報は、PBCH、PCFICH、PHICH、PDCCHなどに関する情報とすることができる。データは、PDSCHなどに関するデータとすることができる。プロセッサ320は、データおよび制御情報を処理し(たとえば、符号化およびシンボルマッピングし)、それぞれデータシンボルおよび制御シンボルを得ることができる。また、プロセッサ320は、たとえばPSS、SSSのための基準シンボル、およびセル特有基準信号を生成することができる。送信(TX)多入力多出力(MIMO)プロセッサ330が、適用可能な場合には、データシンボル、制御シンボル、および/または基準シンボルに対する空間処理(たとえば、プリコーディング)を実行することができ、出力シンボルストリームを変調器(MOD)332a〜332tに与えることができる。各変調器332は、(たとえば、OFDMなどのために)それぞれの出力シンボルストリームを処理し、出力サンプルストリームを得ることができる。各変調器332は、出力サンプルストリームをさらに処理(たとえば、アナログに変換、増幅、フィルタ処理、およびアップコンバート)し、ダウンリンク信号を得ることができる。変調器332a〜332tからのダウンリンク信号は、それぞれアンテナ334a〜334tを介して送信することができる。
【００３５】
UE220において、アンテナ352a〜352rが、基地局210からダウンリンク信号を受信することができ、受信された信号を、それぞれ復調器(DEMOD)354a〜354rに与えることができる。各復調器354は、それぞれの受信した信号を調整(たとえば、フィルタ処理、増幅、ダウンコンバート、およびデジタル化)し、入力サンプルを得ることができる。各復調器354は、(たとえば、OFDMなどのために)入力サンプルをさらに処理し、受信シンボルを得ることができる。MIMO検出器356は、受信シンボルをすべての復調器354a〜354rから入手し、適用可能な場合には、受信シンボルに対してMIMO検出を実行し、検出シンボルを与えることができる。受信プロセッサ358は、検出シンボルを処理(たとえば、復調、デインターリーブ、および復号)し、UE220のための復号されたデータをデータシンク360に与え、復号された制御情報をコントローラ/プロセッサ380に与えることができる。
【００３６】
アップリンク上では、UE220において、送信プロセッサ364が、データソース362から(たとえば、PUSCHのための)データを、そしてコントローラ/プロセッサ380から(たとえば、PUCCHのための)制御情報を受信し、処理することができる。また、プロセッサ364は、基準信号のための基準シンボルを生成することができる。送信プロセッサ364からのシンボルは、適用可能な場合には、TX MIMOプロセッサ366によってプリコーディングし、(たとえばSC-FDMなどのために)変調器354a〜354rによりさらに処理し、基地局210に送信することができる。基地局210において、UE220からのアップリンク信号は、アンテナ334により受信され、復調器332により処理され、適用可能な場合にはMIMO検出器336により検出され、受信プロセッサ338によりさらに処理されて、UE220によって送信された復号済みのデータおよび制御情報を得ることができる。プロセッサ338は、復号済みのデータをデータシンク339に与え、復号済みの制御情報をコントローラ/プロセッサ340に与えることができる。
【００３７】
コントローラ/プロセッサ340および380は、それぞれ基地局210およびUE220における動作を指示することができる。基地局210またはUE220におけるプロセッサ380ならびに/または他のプロセッサおよびモジュールも、図4および図5に示す機能ブロックの実行、および/または本明細書において説明される技法のための他のプロセスの実行を成し遂げるか、または指示することができる。メモリ342および382は、それぞれ基地局210およびUE220のためのデータおよびプログラムコードを記憶することができる。スケジューラ344は、ダウンリンクおよび/またはアップリンク上でのデータ送信のためにUEをスケジュールすることができる。
【００３８】
一構成では、ワイヤレス通信のためのUE220は、UEの接続モード中に、干渉する基地局からの干渉を検出するための手段と、干渉する基地局の生成されたリソースを選択するための手段と、生成されたリソースにおける物理ダウンリンク制御チャネルの誤り率を得るための手段と、誤り率があらかじめ決定されたレベルを上回ることに応答して実行可能な、無線リンク障害を宣言するための手段とを含む。一態様では、上記の手段は、上記の手段によって列挙される機能を実行するように構成されるプロセッサ、コントローラ/プロセッサ380、メモリ382、受信プロセッサ358、MIMO検出器356、復調器354a、およびアンテナ352aとすることができる。別の態様では、上述の手段は、上述の手段によって列挙された機能を実行するように構成されるモジュールまたは任意の装置とすることができる。
【００３９】
例示的な方法および装置
本明細書において図示および説明されるシステムを考慮して、開示される主題に従って実施することができる方法は、種々の流れ図を参照することによってより深く理解されるであろう。説明を簡単にするために、方法は一連の動作/ブロックとして図示および説明されるが、いくつかのブロックは、本明細書で図示および説明されたものと異なる順序で行われ、かつ/または他のブロックと実質的に同時に行われる場合があるので、特許請求される主題は、ブロックの数または順序によって制限されないことを理解および了解されたい。さらに、本明細書において説明される方法を実施する上で、図示されたブロックのすべてが必要であるとは限らない場合もある。ブロックに関連する機能を、ソフトウェア、ハードウェア、それらの組合せ、または任意の他の適切な手段(たとえば、デバイス、システム、プロセス、もしくは構成要素)によって実現できることは理解されたい。さらに、本明細書の全体にわたって開示される方法は、そのような方法を輸送し、種々のデバイスに転送するのを容易にするために、符号化された命令および/またはデータとして製品に記憶できることをさらに理解されたい。代替的には、方法を状態図においてなど、一連の相互に関係する状態またはイベントとして表すことができることは当業者には理解および了解されよう。
【００４０】
図4は、たとえば、自己組織化ネットワーク内のスモールセル内の受信機の複数のアンテナを構成するための方法400を示す。セルは、ワイヤレス通信ネットワークの低電力基地局(たとえば、フェムトノード、ピコノード、ホームNodeBなど)を備える1つまたは複数のスモールセルを含む近隣内に存在することができる。セルはマクロセルまたはマイクロセルとすることができる。方法400は、410において、選択されたアップリンクチャネルを通過させる狭帯域フィルタを備えるように、受信機の複数のアンテナのうちの一次アンテナを構成することを含むことができる。一次アンテナは、複数のアンテナのうちの選択された任意のアンテナ、たとえば、最も強いアップリンク信号が検出されるアンテナとすることができる。構成することは、選択されたチャネルを通過させ、他の周波数をフィルタリングにより除去するように構成される狭帯域フィルタを適用することを含むことができる。
【００４１】
その方法は、420において、複数のアップリンクチャネルを通過させる広帯域フィルタを備えるように、複数のアンテナのうちの二次アンテナを構成することを含むことができる。二次アンテナは、複数のアンテナのうちの選択された任意のアンテナ、たとえば、最も強いアップリンク信号が検出されないアンテナとすることができる。二次アンテナを構成することは、アップリンクチャネルの所望のレンンジ上でアップリンク信号を検出できるようにするために、2つ以上のアップリンクチャネル、より好ましくは、十分なアップリンクチャネルを通過させるように構成される広帯域フィルタを適用することを含むことができる。所望のチャネルレンジは、二次アンテナを構成しているセルの無線近隣域において、たとえば、アクティブであるか、またはおそらくアクティブであると予想されるすべてのチャネルを含むことができる。一次アンテナおよび二次アンテナは同じセルまたは受信機に属することは明らかであろう。
【００４２】
その方法400は、さらなる動作またはアルゴリズムの実行、たとえば、図5〜図7において示される動作500、600または700のうちの1つまたは複数をさらに含むことができる。これらの動作のうちのいずれか1つが、他のアップストリーム動作またはダウンストリーム動作が必ずしも含まれることを必要とすることなく、方法400の一部として含まれる場合がある。単に例示する都合上、動作が異なる図にグループ分けされるが、本明細書において開示される概念の有用な適用例は、例示されるグループ分けに限定されない。
【００４３】
方法400は、図5に示されるさらなる動作500のうちの1つまたは複数を含むことができる。たとえば、方法400は、510において、複数のアンテナのうちのどのアンテナが一次アンテナであるかを決定することを含むことができる。たとえば、セルは、最近の時点で、または最近の期間にわたって、選択されたアップリンクチャネル上で、複数のアンテナのうちのどのアンテナが最も強い信号を受信しているかを検知し、そのアンテナを一次アンテナに指定することができる。任意の適切な信号指標、たとえば、信号対雑音比、受信信号強度インジケータ、または他の指標を用いて、最も強い信号を検出することができる。さらに、方法400は、520において、二次アンテナを介して受信された複数のアップリンクチャネルの電力を検知することを含むことができる。異なる複数のアップリンクチャネル上で結果として生じる電力の尺度は、ダウンリンク電力を制御する際にセルによって用いられる場合がある。たとえば、最も弱い使用可能アップリンク電力、最も強い使用可能アップリンク電力に応じて、または複数のアップリンク電力の何らかの総計(たとえば、平均値および中央値)に比例して、ダウンリンク電力を加減することができる。
【００４４】
方法400は、図6に示されるさらなる動作600のうちの1つまたは複数を含むことができる。たとえば、方法400は、610において、間欠的に、広帯域フィルタを備えるように二次アンテナを構成し、他の時点において、ダイバーシティ受信のために狭帯域フィルタを備えるように二次アンテナを構成することを含むことができる。これは、たとえば、所定の間隔を置いて、または特定のイベントに応答して、二次アンテナ上で広帯域フィルタを使用することと、狭帯域フィルタを使用することとの間でセルを切り替えることを含むことができる。
【００４５】
方法400は、定期的に、またはイベントに応答して、他の動作を実行することを含むことができる。たとえば、一次アンテナを選択するための決定動作510は、定期的に実行される場合があるか、または620において示されるように、定義されたイベントに応答して実行される場合がある。定義されたイベントは、たとえば、接続されるユーザ数の定義された変更、ダウンリンクデータ負荷の変化、測定報告情報の定義された変更、または他のイベントを含むことができる。別の態様では、決定動作510は、630に示されるように、追加されたヒステリシスを受けるようになされる場合がある。たとえば、一次アンテナおよび二次アンテナの指定の変更をトリガするために、二次アンテナにおける信号強度が、少なくとも0より大きい最小量だけ、そしてオプションでは、少なくとも0より長い最小時間だけ、一次アンテナにおける強度を超えることを要求される場合がある。そのような最小しきい値は、ヒステリシス係数と呼ばれる場合があり、一次アンテナおよび二次アンテナの指定が過度に頻繁に切り替わるのを防ぐのに役に立つ場合がある。
【００４６】
方法400は、図7に示されるさらなる動作700のうちの1つまたは複数を含むことができる。たとえば、方法400は、710において、複数のアンテナのそれぞれ異なるアンテナからの信号に、異なるレベルの自動利得制御を適用することを含むことができる。これは、たとえば、720に示されるように、一次アンテナからの信号より、二次アンテナからの信号に低い利得を適用することを含むことができる。ブロッカチャネルからの干渉を回避しながら、アップリンク受信を最適化するように、異なるアンテナのための自動利得制御のレベルを制御することができる。ブロッカチャネルが受信されるとき、二次アンテナは、低い利得を使用することができ、それに伴って、関連する雑音指数は高くなるが、依然としてダイバーシティを提供することができる。この状況下で、二次アンテナの性能は、単一のアンテナのためのMPSを超えるだけの十分な品質にはならないが、それにもかかわらず、受信機にダイバーシティの恩恵を提供することができる。一方、二次アンテナからのUL信号測定値に基づいて一次アンテナ自動利得比を設定することによって、一次アンテナのための改善されたブロッカ検出を達成することができる。たとえば、一次アンテナ利得は、二次アンテナにおいて測定されるようなUL信号強度に反比例して設定することができる。これは、たとえば、より広い帯域幅の二次アンテナ経路によって検知されるブロッカが観測されない場合でも、検出できない飽和から一次アンテナ受信経路を保護するのに有益な場合がある。
【００４７】
方法400の動作は、適切な装置によって実行される場合がある。図8を参照すると、ワイヤレスネットワーク内の複数のアンテナを構成するセルとして、またはそのセル内で使用するためのプロセッサもしくは類似のデバイスとして構成することができる装置800が示される。装置800は、プロセッサ、ソフトウェア、ハードウェア、またはそれらの組合せ(たとえば、ファームウェア)によって実現される機能を表すことができる機能ブロックを含むことができる。
【００４８】
図示されるように、一実施形態では、装置800は、選択されたアップリンクチャネルを通過させる狭帯域フィルタを備えるように複数のアンテナのうちの一次アンテナを構成するための電気的構成要素またはモジュール802を含むことができる。たとえば、電気的構成要素802は、トランシーバなどに結合され、さらに、一次アンテナを選択するための命令、および狭帯域フィルタを用いて受信アナログ信号を処理するための命令を有するメモリに結合される少なくとも1つの制御プロセッサを含むことができる。構成要素802は、選択されたアップリンクチャネルを通過させる狭帯域フィルタを備えるように複数のアンテナのうちの一次アンテナを構成するための手段とすることができるか、またはそのような手段を含むことができる。その手段は、選択されたアップリンクチャネルを通過させる狭帯域フィルタを備えるように複数のアンテナのうちの一次アンテナを構成するためのアルゴリズム、たとえば、デジタル信号処理において知られているような任意的な帯域通過アルゴリズムを実行する制御プロセッサを含むことができ、その中心周波数は選択されたアップリンクチャネルの中心に設定され、その帯域幅は、選択されたアップリンクチャネルの帯域幅に設定される。選択されたアップリンクチャネルは、セルがデータ信号を受信しているか、または受信しようと試みている任意のチャネルとすることができる。
【００４９】
装置800は、複数のアップリンクチャネルを通過させる広帯域フィルタを備えるように複数のアンテナのうちの二次アンテナを構成するための電気的構成要素804を含むことができる。たとえば、電気的構成要素804は、トランシーバなどに結合され、さらに、二次アンテナからのアナログ信号に複数のアップリンクチャネルを通過させる広帯域フィルタを適用するための命令を保持するメモリに結合される少なくとも1つの制御プロセッサを含むことができる。構成要素804は、複数のアップリンクチャネルを通過させる広帯域フィルタを備えるように複数のアンテナのうちの二次アンテナを構成するための手段とすることができるか、またはそのような手段を含むことができる。その手段は、複数のアップリンクチャネルを通過させる広帯域フィルタを備えるように複数のアンテナのうちの二次アンテナを構成するためのアルゴリズムを実行する制御プロセッサを含むことができる。たとえば、フィルタは、信号処理において知られているような任意の適切な帯域通過アルゴリズムを含むことができ、中心周波数は、複数のアップリンクチャネルの中心周波数に設定され、帯域幅は、アップリンクチャネルの最も高い周波数のチャネルと、アップリンクチャネルの最も低い周波数のチャネルとの間の差に設定されるか、または別の方法でその差に関連付けられる。これは、たとえば、検出され、および/または仮定されたネットワーク近隣域に基づいて複数のアップリンクチャネルを識別することを含むことができる。
【００５０】
関連する態様では、装置800は、ネットワークエンティティとして構成される装置800の場合に、オプションで、少なくとも1つのプロセッサを有するプロセッサ構成要素810を含むことができる。そのような場合には、プロセッサ810は、バス812または類似の通信結合を介して、構成要素802〜804または類似の構成要素と動作可能に通信することができる。プロセッサ810は、電気構成要素802〜804によって実行されるプロセスまたは機能の開始およびスケジューリングをもたらすことができる。プロセッサ810は、全体的に、または部分的に構成要素802〜804を含むことができる。代替形態では、プロセッサ810は、構成要素802〜804とは別にすることができ、それらの構成要素は1つまたは複数の個別のプロセッサを含むことができる。
【００５１】
さらなる関連する態様では、装置800は、少なくとも2つの個別の受信アンテナ(図示せず)に結合される無線トランシーバ構成要素814を含むことができる。トランシーバ814の代わりに、またはそれと併せて、スタンドアロン受信機および/またはスタンドアロン送信機を用いることができる。その代わりに、またはそれに加えて、装置800は、異なる搬送波上で送信および受信するために使用することができる、複数のトランシーバまたは送信機/受信機対を含むことができる。装置800は、オプションで、たとえばメモリデバイス/構成要素816のような情報を記憶するための構成要素を含むことができる。コンピュータ可読媒体またはメモリ構成要素816は、バス812などを介して装置800の他の構成要素に動作可能に結合することができる。メモリ構成要素816は、構成要素802〜804およびその下位構成要素の動作、またはプロセッサ810の動作、または本明細書において開示される方法の動作を実行するためのコンピュータ可読命令およびデータを記憶するように適応することができる。メモリ構成要素816は、構成要素802〜804に関連する機能を実行するための命令を保持することができる。メモリ816の外部にあるものとして示されているが、構成要素802〜804はメモリ816内に存在できることは理解されたい。
【００５２】
様々な異なる技術および技法のいずれかを使用して情報および信号が表現される場合があることを当業者は理解されよう。たとえば、これまでの説明全体を通して参照される場合があるデータ、命令、指令、情報、信号、ビット、記号およびチップは、電圧、電流、電磁波、磁場または磁性粒子、光場または光学粒子、あるいはそれらの任意の組合せによって表すことができる。
【００５３】
本明細書における本開示に関連して説明された種々の例示的論理ブロック、モジュール、回路、およびアルゴリズムステップが、電子ハードウェア、コンピュータソフトウェア、または両方の組合せとして実現できることは、当業者にはさらに理解されよう。ハードウェアとソフトウェアのこの互換性を明確に示すために、種々の例示的構成要素、ブロック、モジュール、回路、およびステップが、これまでその機能に関して一般的に説明されてきた。そのような機能が、ハードウェアとして実現されるか、ソフトウェアとして実現されるかは、特定の適用例およびシステム全体に課される設計制約によって決まる。当業者は、説明された機能を特定の適用例ごとに様々な方法で実現することができるが、そのような実現の判断は、本開示の範囲からの逸脱をもたらすものと解釈されるべきではない。
【００５４】
本明細書の開示に関連して説明される種々の例示的な論理ブロック、モジュール、および回路は、本明細書において説明される機能を実行するように設計された汎用プロセッサ、デジタルシグナルプロセッサ(DSP)、特定用途向け集積回路(ASIC)、フィールドプログラマブルゲートアレイ(FPGA)もしくは他のプログラマブル論理デバイス、個別のゲートもしくはトランジスタロジック、個別のハードウェア構成要素、またはそれらの任意の組合せを用いて、実現または実行することができる。汎用プロセッサはマイクロプロセッサとすることができるが、代替形態では、プロセッサは、任意の従来のプロセッサ、コントローラ、マイクロコントローラ、または状態機械とすることができる。プロセッサは、コンピューティングデバイスの組合せ、たとえばDSPとマイクロプロセッサの組合せ、複数のマイクロプロセッサ、DSPコアと連結した1つもしくは複数のマイクロプロセッサ、または任意の他のそのような構成として実現することができる。
【００５５】
本明細書の開示に関連して説明される方法またはアルゴリズムのステップは、ハードウェアにおいて直接に、またはプロセッサによって実行されるソフトウェアモジュールにおいて、またはその2つ組合せにおいて具現することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野において周知の任意の他の形の記憶媒体内に存在することができる。プロセッサが記憶媒体から情報を読み取り、記憶媒体に情報を書き込むことができるように、記憶媒体はプロセッサに結合することができる。代替形態では、記憶媒体はプロセッサと一体にすることができる。プロセッサおよび記憶媒体はASIC内に存在することができる。ASICは、ユーザ端末内に存在することができる。代替形態では、プロセッサおよび記憶媒体は、ユーザ端末内の個別の構成要素として存在することができる。
【００５６】
本明細書において開示される1つまたは複数の例では、説明される機能は、ハードウェア、ソフトウェア、ファームウェア、またはそれらの任意の組合せで実現することができる。ソフトウェアで実現される場合、機能は、1つまたは複数の命令またはコードとして、コンピュータ可読媒体上に記憶するか、またはコンピュータ可読媒体を介して送信することができる。コンピュータ可読媒体は、ある場所から別の場所へのコンピュータプログラムの転送を容易にする任意の媒体を含む、コンピュータ記憶媒体と通信媒体との両方を含む。記憶媒体は、汎用コンピュータまたは専用コンピュータによってアクセスすることができる任意の入手可能な非一時的媒体とすることができる。限定ではなく、一例として、そのようなコンピュータ可読媒体は、RAM、ROM、EEPROM、CD-ROMもしくはその他の光ディスク記憶装置、磁気ディスク記憶装置もしくはその他の磁気記憶装置、または所望のプログラムコード手段を命令もしくはデータ構造の形で搬送または記憶するために使用することができ、汎用コンピュータもしくは専用コンピュータ、または汎用プロセッサもしくは専用プロセッサによってアクセスすることができる任意の他の媒体を含むことができる。本明細書において使用されるとき、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は通常、データを磁気的に符号化し、一方、ディスク(disc)は通例、レーザーで光学的に符号化された媒体を指している。上記の組合せもコンピュータ可読媒体の範囲の中に含まれるべきである。
【００５７】
本開示のこれまでの説明は、当業者が本開示を作製または使用することを可能にするために提供される。本開示に対する種々の変更形態が当業者には容易に明らかとなり、本明細書において定義される一般原理は、本開示の趣旨または範囲から逸脱することなく、他の変形形態に適用することができる。したがって、本開示は、本明細書において説明される例および設計に限定されるものではなく、本明細書において開示される原理および新規の特徴に合致する最も広い範囲を与えられるべきである。
【符号の説明】
【００５８】
100  受信機
102  RX経路
104  RX経路
106  ベースバンドフィルタリング
108  自動利得制御
200  通信ネットワーク
202a  マクロセル
202b  マクロセル
202c  マクロセル
202x  ピコセル
202y  フェムトセル
202z  フェムトセル
210  eNB
210a  eNB
210b  eNB
210c  eNB
210r  中継局
210x  eNB
210y  eNB
210z  eNB
220r  UE
220y  UE
230  ネットワークコントローラ
312  データソース
320  送信プロセッサ
330  送信(TX)多入力多出力(MIMO)プロセッサ
332  変調器
332a  変調器(MOD)
332t  変調器(MOD)
334  アンテナ
334a  アンテナ
334t  アンテナ
336  MIMO検出器
338  受信プロセッサ
339  データシンク
340  コントローラ/プロセッサ
342  メモリ
344  スケジューラ
352a  アンテナ
352r  アンテナ
354  復調器
354a  復調器(DEMOD)
354r  復調器(DEMOD)
356  MIMO検出器
358  受信プロセッサ
360  データシンク
362  データソース
364  送信プロセッサ
366  TX MIMOプロセッサ
380  コントローラ/プロセッサ
382  メモリ
800  装置
802  電気的構成要素
804  電気的構成要素
810  プロセッサ構成要素
812  バス
814  トランシーバ
816  メモリ構成要素
【図１】
2017505058.tif 000003
【図２】
2017505058.tif 000004
【図３】
2017505058.tif 000005
【図４】
2017505058.tif 000006
【図５】
2017505058.tif 000007
【図６】
2017505058.tif 000008
【図７】
2017505058.tif 000009
【図８】
2017505058.tif 000010
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
受信機の複数のアンテナを構成するための方法であって、前記方法は、
前記複数のアンテナのうちのどのアンテナが選択されたアップリンクチャネル上で最も強い信号を受信しているかを検知することによって、前記複数のアンテナのうちの一次アンテナを決定するステップと、
前記一次アンテナを前記選択されたアップリンクチャネルを通過させる狭帯域フィルタを備えるように構成するステップと、
第1の時点では、アップリンク測定を間欠的に実行するように、前記複数のアンテナのうちの二次アンテナを複数のアップリンクチャネルを通過させる広帯域フィルタを備えるように構成するステップと、
第2の時点では、ダイバーシティ受信を提供するように、前記二次アンテナを狭帯域フィルタを備えるように構成するステップであって、前記第1の時点と前記第2の時点とは異なる時点である、ステップと
を含む、受信機の複数のアンテナを構成するための方法。
【請求項２】
前記アップリンク測定が、ダウンリンク電力を制御する際に使用するために前記二次アンテナを介して受信される前記複数のアップリンクチャネルの電力を検知するステップをさらに含む、請求項1に記載の方法。
【請求項３】
定義されたイベントを検出するのに応答して、前記決定するステップを実行するステップをさらに含む、請求項1に記載の方法。
【請求項４】
前記複数のアンテナのうちのどのアンテナが前記一次アンテナであるかを決定するステップは、付加されたヒステリシスを受ける、請求項1に記載の方法。
【請求項５】
前記複数のアンテナのそれぞれ異なるアンテナからの信号に異なるレベルの自動利得制御を適用するステップをさらに含む、請求項1に記載の方法。
【請求項６】
前記一次アンテナからの信号より、前記二次アンテナからの信号に低い利得が適用される、請求項5に記載の方法。
【請求項７】
前記受信機はアクセスポイントを含む、請求項1に記載の方法。
【請求項８】
受信機の複数のアンテナを構成するための装置であって、前記装置は、
前記複数のアンテナのうちのどのアンテナが選択されたアップリンクチャネル上で最も強い信号を受信しているかを検知することによって、前記複数のアンテナのうちの一次アンテナを決定するための手段と、
前記一次アンテナを前記選択されたアップリンクチャネルを通過させる狭帯域フィルタを備えるように構成するための手段と、
前記複数のアンテナのうちの二次アンテナを構成するための手段であって、前記二次アンテナは、第1の時点では、アップリンク測定を間欠的に実行するように、複数のアップリンクチャネルを通過させる広帯域フィルタを備えるように構成され、前記二次アンテナは、第2の時点では、ダイバーシティ受信を提供するように、狭帯域フィルタを備えるように構成され、前記第1の時点と前記第2の時点とは異なる時点である、手段と
を備える、受信機の複数のアンテナを構成するための装置。
【請求項９】
受信機の複数のアンテナを構成するための装置であって、
前記複数のアンテナのうちのどのアンテナが選択されたアップリンクチャネル上で最も強い信号を受信しているかを検知することによって、前記複数のアンテナのうちの一次アンテナを決定し、
前記一次アンテナを前記選択されたアップリンクチャネルを通過させる狭帯域フィルタを備えるように構成し、
第1の時点では、アップリンク測定を間欠的に実行するように、前記複数のアンテナのうちの二次アンテナを複数のアップリンクチャネルを通過させる広帯域フィルタを備えるように構成し、
第2の時点では、ダイバーシティ受信を提供するように、前記二次アンテナを狭帯域フィルタを備えるように構成する
ために構成される少なくとも1つのプロセッサと、
前記少なくとも1つのプロセッサに結合され、データを記憶するためのメモリと
を備え、前記第1の時点と前記第2の時点とは異なる時点である、受信機の複数のアンテナを構成するための装置。
【請求項１０】
前記プロセッサはさらに、ダウンリンク電力を制御する際に使用するために前記二次アンテナを介して受信される前記複数のアップリンクチャネルの電力を検知することによって、前記アップリンク測定を実行するために構成される、請求項9に記載の装置。
【請求項１１】
前記プロセッサはさらに、定義されたイベントを検出するのに応答して、前記決定することを実行するために構成される、請求項9に記載の装置。
【請求項１２】
前記プロセッサはさらに、前記複数のアンテナのうちのどのアンテナが前記一次アンテナであるかを決定することが、付加されたヒステリシスを受けるように構成される、請求項9に記載の装置。
【請求項１３】
前記プロセッサはさらに、前記複数のアンテナのそれぞれ異なるアンテナからの信号に異なるレベルの自動利得制御を適用するために構成される、請求項9に記載の装置。
【請求項１４】
前記プロセッサはさらに、前記一次アンテナからの信号より、前記二次アンテナからの信号に低い利得を適用するために構成される、請求項13に記載の装置。
【請求項１５】
前記プロセッサはアクセスポイントの一部を含む、請求項9に記載の装置。
【請求項１６】
命令を保持する非一時的コンピュータ可読記録媒体であって、プロセッサによって実行されるときに、前記命令は、コンピュータに、
複数のアンテナのうちのどのアンテナが選択されたアップリンクチャネル上で最も強い信号を受信しているかを検知することによって、前記複数のアンテナのうちの一次アンテナを決定することと、
前記複数のアンテナのうちの前記一次アンテナを前記選択されたアップリンクチャネルを通過させる狭帯域フィルタを備えるように構成することと、
第1の時点では、アップリンク測定を間欠的に実行するように、前記複数のアンテナのうちの二次アンテナを複数のアップリンクチャネルを通過させる広帯域フィルタを備えるように構成することと、
第2の時点では、ダイバーシティ受信を提供するように、前記二次アンテナを狭帯域フィルタを備えるように構成することと
を実行させ、前記第1の時点と前記第2の時点とは異なる時点である、命令を保持する非一時的コンピュータ可読記録媒体。
【国際調査報告】
2017505058.tif 000011
2017505058.tif 000012
2017505058.tif 000013